(57)【特許請求の範囲】
【請求項１】
対向する両側部と、該両側部間に位置するベース部とを有するタブ或いはシャワー包囲体に用いられるシャワードアアセンブリであって、
前記包囲体の対向側部間に配置可能となっており、もどり止を有している上側支持部材と、
前記包囲体の前記ベース部に対して配置可能となっている下側支持部材と、
第１および第２の横方向に離隔するフレーム部材から成るフレームであって、前記第１フレーム部材は垂直軸を中心に回転するよう前記上側支持部材に連結された第１端部と前記下側支持部材に連結された第２端部とを有しており、前記第２フレーム部材は、前記もどり止に嵌合するキャップを備え、前記上側支持部材に解放可能に連結される端部を有している、フレームと、
前記第１フレーム部材と前記第２フレーム部材との間で延びているパネルと、
前記第１および第２フレーム部材を連結するとともに、撓んで前記第２フレーム部材に上方向の力を付加して前記第２フレーム部材の前記端部を前記上側支持部材に解放可能に連結する張り部材と、
から成ることを特徴とするシャワードアアセンブリ。
【請求項２】
前記第１フレーム部材の前記第１端部を前記上側支持部材に連結するコネクタブラケットを更に含むことを特徴とする請求項１に記載のシャワードアアセンブリ。
【請求項３】
前記上側支持部材は、前記包囲体の前記対向側部に対して前記上側支持部材を位置決めする伸縮部を含むことを特徴とする請求項２に記載のシャワードアアセンブリ。
【請求項４】
前記パネルは布から成ることを特徴とする請求項３に記載のシャワードアアセンブリ。
【請求項５】
前記第１フレーム部材の近傍に、前記側部の１つに対して配置されるシーリング部材を更に含み、前記パネルは、前記シーリング部材から前記第１フレーム部材を通過して前記第２フレーム部材までのびていることを特徴とする請求項１に記載のシャワードアアセンブリ。
【請求項６】
前記第２フレーム部材に連結されたハンドルを更に含むことを特徴とする請求項１に記載のシャワードアアセンブリ。
【請求項７】
前記張り部材は、前記第１フレーム部材に連結された第１端部および前記第２フレーム部材に連結された第２端部をそれぞれ有し、前記第２フレーム部材に上方向の力を付加すべくそれぞれ湾曲している一対の横方向に離隔する可撓性ロッドから成ることを特徴とする請求項１に記載のシャワードアアセンブリ。
【請求項８】
前記第２フレーム部材の前記端部は前記もどり止に解放可能に連結されていることを特徴とする請求項１に記載のシャワードアアセンブリ。
【請求項９】
前記第２フレーム部材の前記端部に連結されたキャップは、丸型エンドキャップからなることを特徴とする請求項１に記載のシャワードアアセンブリ。
【請求項１０】
前記包囲体の対向側部に対して配置されるように前記上側支持部材の対向端部に連結された一対のゴム製エンドキャップを更に含む請求項１に記載のシャワードアアセンブリ。
【請求項１１】
第１および第２の対向側部とベース部とを有するタブ或いはシャワー包囲体に用いられるシャワードアアセンブリであって、
前記包囲体の対向側部間に配置可能となっている上側支持部材と、
前記包囲体の前記ベース部に対して配置可能となっており、圧縮可能材から成る下側支持部材と、
前記包囲体の前記第１側部に対して配置される第１のシーリング部材と、
前記包囲体の前記第２側部に対して配置される第２のシーリング部材と、
横方向に離隔する第１および第２のフレーム部材から成る第１フレームであって、前記第１フレーム部材は前記第１シーリング部材の近傍に配置されると共に、垂直軸を中心に回転するように前記上側支持部材に連結された第１端部と前記下側支持部材に連結された第２端部とを有しており、前記第２フレーム部材は、前記上側支持部材に解放可能に連結された第１端部と前記下側支持部材に解放可能に配置された第２端部とを有しており、前記圧縮可能材は、前記第２フレーム部材の垂直運動を許容する、第１フレームと、
横方向に離隔する第３および第４のフレーム部材から成る第２フレームであって、前記第３フレーム部材は、前記第２シーリング部材の近傍に配置されると共に、垂直軸を中心に回転するよう前記上側支持部材に連結された第１端部と前記下側支持部材に連結された第２端部とを有しており、前記第４フレーム部材は、前記第２支持部材の近傍の前記上側支持部材に解放可能に連結された第１端部と前記下側支持部材に解放可能に配置された第２端部とを有しており、前記圧縮可能材は、前記第４フレーム部材の垂直運動を許容する、第２フレームと、
前記第２フレーム部材又は前記第４フレーム部材に連結されたフランジと、
前記第１シーリング部材から前記第１フレーム部材を通って前記第２フレーム部材まで延びる第１パネルと、
前記第２シーリング部材から前記第３フレーム部材を通って前記前記第４フレーム部材まで延びる第２パネルと、
前記第１および第２フレーム部材を連結すると共に、前記第２フレーム部材に上方向の力を付与して前記第２フレーム部材の前記第１端部を前記上側支持部材に解放可能に連結する第１の張り部材と、
前記第３および第４フレーム部材を連結すると共に、前記第４フレーム部材に上方向の力を付与して前記第４フレーム部材の前記第１端部を前記上側支持部材に解放可能に連結する第２の張り部材と、
から成ることを特徴とするシャワードアアセンブリ。
【請求項１２】
前記第２フレーム部材に連結された第１のハンドルと、前記第４フレーム部材に連結された第２のハンドルを更に含むことを特徴とする請求項１１に記載のシャワードアアセンブリ。
【請求項１３】
前記上側支持部材に連結されたもどり止を更に含み、前記第２フレーム部材の前記第１端部および前記第４フレーム部材の前記第１端部は、前記もどり止に解放可能に連結されていることを特徴とする請求項１１に記載のシャワードアアセンブリ。
【請求項１４】
前記第１フレーム部材の前記第１端部を前記上側支持部材に連結する第１のコネクタブラケットと、前記第２フレーム部材の前記第１端部を前記上側支持部材に連結する第２のコネクタブラケットを更に含むことを特徴とする請求項１１に記載のシャワードアアセンブリ。
【請求項１５】
前記上側支持部材は、前記包囲体の前記対向側部に対して前記上側支持部材を位置決めする一対の伸縮部を含むことを特徴とする請求項１４に記載のシャワードアアセンブリ。
【請求項１６】
対向する両側部と、該両側部間に位置するベース部とを有するタブもしくはシャワー包囲体に用いられるシャワードアアセンブリであって、
前記包囲体の対向側部間に配置可能となっている上側支持部材と、
前記包囲体の前記ベース部に対して配置可能となっている下側支持部材と、
横方向に離隔する第１および第２のフレーム部材から成るフレームであって、前記第１フレーム部材は、垂直軸を中心に回転するように前記上側支持部材に連結された第１端部と前記下側支持部材に連結された第２端部とを有しており、前記第２フレーム部材は、前記上側支持部材に解放可能に連結される端部を有している、フレームと、
前記第１および第２フレーム部材を連結する張り部材と、
前記第１フレーム部材と前記第２フレーム部材との間で延びているパネルと、
前記第１フレーム部材の前記第１端部を前記上側支持部材に連結するコネクタブラケットと、
から成り、前記上側支持部材が、前記包囲体の対向側部に対して前記上側支持部材を位置決めする伸縮部を有していることを特徴とするシャワードアアセンブリ。
【請求項１７】
対向する両側部と、該両側部間に位置するベース部とを有するタブもしくはシャワー包囲体に用いられるシャワードアアセンブリの設置方法であって、
前記包囲体の対向側部に対して配置される上側支持部材を設置し、
前記包囲体の前記ベース部に対して配置される下側支持部材を設置し、
前記包囲体の前記側部の１つに対してシーリング部材を設置し、
第１フレーム部材の第１端部を前記シーリング部材の近傍の前記上側支持部材に連結し、前記第１フレーム部材の第２端部を前記下側支持部材に連結して垂直軸を中心に回転するようにし、
前記第１フレーム部材に張り部材を連結し、
前記上側支持部材に解放可能に連結される端部を有する第２フレーム部材に上方向の力を付与して前記第２フレーム部材の前記端部を前記上側支持部材に解放可能に連結する前記張り部材に連結し、
前記シーリング部材から前記第１フレーム部材を通って前記第２フレーム部材まで延びるパネルを設置する、
ステップから成ることを特徴とするシャワードアの設置方法。
【発明の詳細な説明】
発明の分野
本発明は、シャワードア及びシャワードア設置方法に関する。
発明の背景
シャワードアは、典型的に硬い安全ガラスもしくはプレキシガラス材と共に設置される。このようなドアは、ガラス材が故に重くて高価である。ガラス材の重量は、ドアの移動或いは運搬を更に困難なものとしている。また、このようなドアは、通常、シャワー包囲体に永久固定されるため、その設置には専門業者の手を必要とする。従って、このような設置時の手間が、シャワードアの全体コストを大幅に押し上げる。このような事情から、改良されたシャワードア、特に低コストで軽量の代替シャワードアの需要が存在する。
発明の概要
本発明は、側部とベースとを有するシャワー包囲体若しくはタブを包囲するシャワードアアセンブリである。このアセンブリは、包囲体の対向側部に対して配置される上側支持部材と、包囲体のベース部に対して配置される下側支持部材を含む。第１のフレーム部材は、上側支持部材および下側支持部材に連結され、垂直軸を中心に回動するよう配設されている。第２のフレーム部材は、上側支持部材に取り外し可能に連結される。控え部材は、第１および第２フレーム部材を連結してドアのための構造体を形成すると共に、第２フレーム部材に上方向の力を付加して第２フレーム部材を上側支持部材に解放可能に連結する。使用時、布部材の一部がフレーム部材を横切って延びてドアのための水バリアを提供する。
この発明は、側部およびベース部を有するタブ或いはシャワー包囲体を包囲するためのシャワードアアセンブリの設置方法でもある。この方法は、次の工程を含む。上側支持部材を包囲体の側部の１つに対して配置し、下側支持部材を包囲体のベース部に対して配置する。シール部材を包囲体の側部の１つに対して配置する。第１フレーム部材の第１端部をシール部材の近傍の上側支持部材に連結し、第１フレーム部材の第２端部を垂直軸を中心に回転するよう下側支持部材に連結する。控え部材を第１フレーム部材および第２フレーム部材に連結する。第２フレーム部材は、控え部材が第２フレーム部材に上方向の力を付加して第２フレーム部材の第２端部を上側支持部材と解放可能に連結するように、上側支持部材に解放可能に連結される第１端部を有する。シール部材から第１フレーム部材を通過して第２フレーム部材まで延びるパネルを設置する。
【図面の簡単な説明】
図１は、本発明の原理によるシャワードアアセンブリが取り付けられるタブ或いはシャワー包囲体の例を示す。
図２は、本発明の原理によるシャワードアアセンブリの正面図である。
図３は、布製水バリアを備えるシャワードアアセンブリの正面図である。
図４は、シャワードアアセンブリの左上側部の拡大正面図である。
図５は、シャワードアアセンブリの上側中央部の拡大正面図である。
図６は、シャワードアアセンブリの右上側部の拡大正面図である。
図７は、シャワードアアセンブリの左下側部の拡大正面図である。
図８は、シャワードアアセンブリの下側中央部の拡大正面図である。
図９は、シャワードアアセンブリの右下側部の拡大正面図である。
図１０は、シャワードアアセンブリのハンドルの拡大正面図である。
図１１は、シャワードアアセンブリの内側の第１ハンドルおよび外側の第２ハンドルを示すハンドル側面図である。
図１２乃至１４は、シャワードアアセンブリに布ドアを使用したときの連結状態を示す説明図である。
詳細な説明
この発明は、低コストで、軽量のシャワードアアセンブリを提供する。このドアは消費者が簡単に搬送、設置できる。このドアはシャワー包囲体に必ずしも永久固定する必要がないので、購入者は、例えば引っ越しする際に、該ドアを取り外して再設置することができる。その上、このシャワードアは取り外し可能な布或いはビニール製水バリアを採用する。これは、特定のバスルーム若しくはシャワー包囲体にマッチする多種多様の色若しくはパタンの布若しくはビニールを購入できることを意味する。このように、布若しくはビニールは、シャワードアアセンブリ全体を取り替えずに簡単かつ安く取り替えることができる。
図１は、シャワードアアセンブリが取り付けられたタブ若しくはシャワー包囲体の例を示す。この包囲体は、典型的に、対向側部AおよびBと、ベース部Ｃを含む。該シャワードアアセンブリは、側部Ａ、Ｂおよびベース部Ｃによって形成される開口部に水バリアを提供する。シャワー包囲体は、タブレッジ(tub ledge)としてのベース部Ｃを備えるタブを含んでいてもよい。シャワー包囲体は、床に位置する或いは概ね床レベルのベース部Ｃを備えるだけのシャワーストール(shower stall)を含むものでもよい。その他のシャワー包囲体を本発明に使用することもできる。
図２は、布製水バリアが付いていないシャワードアアセンブリ１の正面図である。図３は、布９を備える完全に設置されたシャワードアアセンブリ１の正面図である。以下では１つのドア１９を備えるシャワードアアセンブリ１の設置を説明する。第２のドアが組み込まれて設置され、第１のドア１９と同様に作用する。
再び図１を参照するに、符号２で示されるボール紙テンプレートが長手方向に延びている。このテンプレートは、５４インチまたは６０インチのシャワードアに適する幅方向の開口を有する。テンプレート２は、これらの開口に沿ってU字状に折り曲げられ、中央水平部がダブレッジ上に位置し、対向する垂直部がシャワー壁AおよびBを上へ延びている。シャワー壁Aだけが図７に示されているが、図示のものと対向するように配置された２の垂直延長部もある。
図２に部品１１で示される、外側糸を備える２つのほぼ円筒形のプラスチック部品がある（部品１１の詳細については図７および９を参照されたい）。部品１１は、これを図２、７および９に示されるようにタブレッジに固定するのに用いる適当な粘着テープ材を備える平坦底部を有する。部品１１の平坦底部の裏打ち紙をはぎ取り、テンプレート２に形成された開口から部品１１をタブレッジに固定する。これらの開口は、図１において符号２Aおよび2B示されている。２つの内ねじ付きプラスチックリング１２は、部品１１に螺合してテンプレート２をタブレッジの適当な部位に一時固定する（図９参照）。テンプレート２の垂直延長部の上側端部は、それぞれ符号２Ｃで示され、飾り布すなわちバランス（valance）３を適正配置する切り欠き部を有している。
かくして、バランス３の高さをラフに設定する（側部ＡおよびＢに対するバランス３の取り付けの詳細については図４および６を参照されたい）。バランスは、上側支持部材とも称され、好ましくはアルミニウムチューブを補填される。５および６のプラスチックスナップを部品３の孔に押し込む。伸縮部４を回転してゴムパック（rubber pucks）２３とシャワー包囲体壁ＡおよびＢとがパカッと填るように部品３の長さを調節してバランス３を固定する。図１に符号２Ｄで示されるように部材２０（布製壁スナップ）を２の垂直縁部にシャワー包囲体の内側に向けて合わせ、部品２０の平坦底部上のテープから裏張りの紙を取り外し、１つを包囲体壁Ａに取着し、もう１つを包囲体壁Ｂに取り付ける。次いでリング１２をねじって各固定部材１１から外すことでテンプレート２を取り除く。
特に図７および９を参照し、ダム部材２１をここで設置する。２１の平坦底部も接着剤および紙裏張りを有する。紙裏張りを取り除く。部材２１の右側端部は、部材２１の半径方向端部がシャワー壁Ａに接した状態で円筒形アンカー１１に填る孔を有する。図２に示されるように、バランス３は側部Ａ、Ｂおよびダム２１に対して設けられ、アンカー１１はタブレッジ又はベース部Ｃに固定される。
シャワードア１９は次のように組み立てられる。エンドキャップ１６および１７をドアフレーム部材７Ａおよび７Ｂ（図４および８を参照）に押し込む。フレーム部材７Ａおよび７Ｂは、好ましくはアルミニウムチューブを付加される。可撓性ロッドマウント８をフレーム部材７Ａおよび７Ｂの孔に押し込む。可撓性ロッド１８の端部を可撓性ロッドマウント８に差し込む（図４、５および７を参照）。設置時、可撓性ロッド１８は少し湾曲してフレーム部材７Ｂに上方向の力を付加する。可撓性ロッド１８に求められる湾曲はフレーム部材７Ａおよび７Ｂのマウント８を適正向きにすることによって達成される。可撓性ロッド１８は、好ましくはフレーム部材７Ｂが開放位置から閉鎖位置に約１．５インチ移動するよう十分に湾曲している。
図３に示される布９を拡げ、そのヘリがドア１９の上端部にくるように配置する。布９は、典型的に従来のシャワーカーテンに使用されるようなビニールを補充されている。布硬直ロッド２５は、上記ヘリに挿入される（図３参照）。縁部フレームシール１０を１６の相手面からドアフレーム部材７Ｂの長手方向に延びる溝に挿入し、内側に離隔するフレームシール１０をフレーム部材７Ａの鉈下方向に延びる溝に圧入する。布は平坦で、クリーンな様相を呈している。部材１５（ベース部又はタブレッジシール）を掴んで、ドーナッツ状端部を少し引っ張ってエンドキャップ１６および１７の溝に挿入する。
ドア１９は、組立て後、所定位置にはめ込まれる。ドアフレーム部材７Ａの上側エンドキャップ１６をＴ字状ソケットジョイント５（図７参照）にはめ込み、フレーム部材７Ａの下側エンドキャップ１６を部品１１又は下側ソケットジョイント（図７参照）にはめ込む。バランス３の高さは伸縮端部４を回転することによって若干の調節をする必要があるかもしれない。ドア１９は、ドアフレーム部材７Ｂを引き下ろし、ドアフレーム部材７Ｂの上端部に位置する硬質エンドキャップ１６をドア閉塞戻り止６（図６参照）にセットすることによって閉じられる。ドア１９を閉じた状態で、バランス伸縮端部４により、上側ソケットジョイント５の長手方向位置を若干調節する。部品１３（布シールガード）をドアフレーム部材７Ａ上に押し広げ、部品１４（ドア対ドアシール又はフランジ）をドアフレーム部材７Ｂ上に押し広げる。１４の底縁部は、タブレッジと面一でなければならない。左側延出部２４（布対壁シール）は、壁布コネクタ部材２０の長手方向に延びる溝に押し込まれる。
ドア１９の設置時、布９は３つのシールを含む。第１のシールは、布９内にあって部材２０内に保持される部材２４によって形成される。第２のシールは、内方に離隔するフレームシール１０および布シールガード（図７参照）によって形成される。第３のシールは、縁部フレームシール１０およびフレーム部材７Ｂ（図５参照）。シャワードアアセンブリ１の底部において、ダム部材２１および部品１５（ベース部又はタブレッジシール）は、布９の底部とシャワー包囲体のベース部Ｃとの間からの水漏れ防止を支援する。
図１０および１１を参照するに、ドア１９はその外側および内側にハンドル２２を含む。ハンドル２２の円筒面上の粘着テープから裏張りをはぎ取る。次いでハンドル２２を１４の両側のほぼ中央に取り付ける。
ハンドルは、利用者がドアを開けるのを支援するため開放端部を上向きでドアに取り付けられる。ドア１９などのドアを開けるには、ハンドル２２を掴んで下方に少し引いてフレーム部材７Ｂをもどり止（detent）６から解放する。軟質部材１５Ｂ（図８参照）は、ドア１９が閉鎖位置にあるとき利用者が７Ｂを下方に移動することを許容する。これにより、ドア１９はフレーム部材７Ａが垂直軸を中心に回転することによって外側にスイングする。このような可撓性ロッド１８の若干の曲がりにより、利用者がフレーム部材７Ｂを下方に動かすことによってドア１９を簡単に開くことが可能となり、フレーム部材７Ｂに上方向の力を付加してこれをもどり止６に圧接することによってドア１９を閉鎖位置に保持される。
次に図１２乃至１４を参照して、ドア１９が閉鎖位置にあるときに可撓性ロッド１８の傾斜がどのように布９をピンと張った状態に維持するのを支援するかについて説明する。フレーム部材７Ａ、７Ｂ間の共通の直角距離が増大すると、布はよりピンと張る。２点間の最短距離は直線である。従って、可撓性ロッド１８の曲がりが戻ると、可撓性ロッド１８のエンドポイント間の距離が増大する。
シャワードアアセンブリ１は、可撓性ロッド１８の若干の曲がりを無視して、図１２および１３に示されるように、単純な４バー結合体として成形することができる。図１２および１３に示されるように、フレーム部材７Ａ、７Ｂ間の共通直角距離は増大する。この距離増大は、上述の現象により７Ａおよび７Ｂを近接せしめ、ドア１９を閉じるときの可撓性ロッド１８の湾曲を埋め合わせる以上のものとなる。ドア１９を作用させるためそうしているのであるが、可撓性ロッド１８が水平に配設されて湾曲している場合、布９を開放および閉鎖の両方において張るか、或いは閉鎖位置において緩める必要がある。布９を開放および閉鎖の両方において張ることで、図１４に示されるようにリンク５および６が効果的に追加される。これは機構に要求し過ぎとなる、つまり動かなくなってしまう。
【図１】
0003803380.tif 000002
【図２】
0003803380.tif 000003
【図３】
0003803380.tif 000004
【図４】
0003803380.tif 000005
【図５】
0003803380.tif 000006
【図６】
0003803380.tif 000007
【図７】
0003803380.tif 000008
【図８】
0003803380.tif 000009
【図９】
0003803380.tif 000010
【図１０】
0003803380.tif 000011
【図１１】
0003803380.tif 000012
【図１２】
0003803380.tif 000013
【図１３】
0003803380.tif 000014
【図１４】
0003803380.tif 000015